(57)【要約】    【課題】  電波の受信状態が悪くなったときに番組内容が分からなくなってしまうことを改善する。    【解決手段】  文字情報を表示できる表示部１１を備え、文字情報を含む電波信号を受信する電波受信装置において、音声情報エラー訂正検出部６が、音声データのエラー訂正時に訂正できなかったエラーの数を検出し、エラー情報処理部１０が、少なくとも、この検出されたエラー数に基づいて、文字情報の表示を行うか否かを判断し、この判断結果に応じて、文字情報を表示部１１に表示するようにする。【選択図】      図１
2005260552.tif 000002
【特許請求の範囲】
【請求項１】
文字情報を表示できる表示装置を備え、文字情報を含む電波信号を受信する電波受信装置において、
受信データのエラー訂正時に訂正できなかったエラーの数を検出するエラー検出手段と、
前記エラー検出手段で検出されたエラー数に基づいて、文字情報の表示を行うか否かを判断する判断手段と、
前記判断手段による判断結果に応じて文字情報を前記表示装置に表示する表示制御手段と
を有することを特徴とする電波受信装置。
【請求項２】
前記受信データは、音声データ及び文字情報であり、
前記判断手段は、前記音声データのエラー訂正時に訂正できなかったエラー数が第１の所定数に達し、かつ前記文字情報のエラー訂正時に訂正できなかったエラー数が第２の所定数に達していない場合に、文字情報の表示を指令することを特徴とする請求項１記載の電波受信装置。
【請求項３】
文字情報を表示するか否かを電波信号の受信状態に応じて決定する動作モードを外部から指示されているときのみ、前記判断手段を作動させる作動制御手段を、更に有することを特徴とする請求項１記載の電波受信装置。
【請求項４】
音声データに基づき音声を出力する音声出力手段と、
前記表示制御手段によって文字情報が前記表示装置に表示されるとき、前記音声出力手段の動作を停止させる停止手段と
を更に有することを特徴とする請求項１記載の電波受信装置。
【請求項５】
映像データのエラー訂正時に訂正できなかったエラー数が第３の所定数に達している場合に、該映像データに基づく映像表示を停止させる映像表示停止手段を、更に有することを特徴とする請求項１記載の電波受信装置。
【請求項６】
映像データ、文字情報、及び音声データのうち、音声データを優先する動作モードを外部から指示されているときのみ、前記判断手段を作動させる作動制御手段を、更に有することを特徴とする請求項１記載の電波受信装置。
【請求項７】
文字情報を表示できる表示装置を備え、文字情報を含む電波信号を受信する電波受信装置に適応される文字情報表示方法において、
受信データのエラー訂正時に訂正できなかったエラーの数を検出するエラー検出ステップと、
前記エラー検出手ステップで検出されたエラー数に基づいて、文字情報の表示を行うか否かを判断する判断ステップと、
前記判断ステップによる判断結果に応じて文字情報を前記表示装置に表示する表示制御ステップと
を有することを特徴とする文字情報表示方法。
【請求項８】
前記受信データは、音声データ及び文字情報であり、
前記判断ステップは、前記音声データのエラー訂正時に訂正できなかったエラー数が第１の所定数に達し、かつ前記文字情報のエラー訂正時に訂正できなかったエラー数が第２の所定数に達していない場合に、文字情報の表示を指令することを特徴とする請求項７記載の文字情報表示方法。
【請求項９】
前記表示制御ステップによって文字情報が前記表示装置に表示されるとき、音声データに基づき音声を出力する音声出力手段の動作を停止させる停止ステップを、更に有することを特徴とする請求項７記載の文字情報表示方法。
【請求項１０】
文字情報を表示できる表示装置を備え、文字情報を含む電波信号を受信する電波受信装置に適応される文字情報表示方法を、コンピュータに実行させるためのプログラムにおいて、
受信データのエラー訂正時に訂正できなかったエラーの数を検出するエラー検出ステップと、
前記エラー検出手ステップで検出されたエラー数に基づいて、文字情報の表示を行うか否かを判断する判断ステップと、
前記判断ステップによる判断結果に応じて文字情報を前記表示装置に表示する表示制御ステップと
を有することを特徴とするプログラム。
【発明の詳細な説明】
【技術分野】
【０００１】
本発明は、電波受信装置、文字情報表示方法、及びプログラムに関し、特に、文字情報を表示できる表示装置を備え、文字情報を含む電波信号を受信する電波受信装置、該電波受信装置に適用される文字情報表示方法、及び該文字情報表示方法をコンピュータに実行させるためのプログラムに関する。
【背景技術】
【０００２】
従来、映像情報、音声情報及び文字情報を含んだデジタルテレビ放送電波を受信する受像装置が知られており、例えば特許文献１に開示されている。
【特許文献１】特開２００３−６１１１０号公報
【発明の開示】
【発明が解決しようとする課題】
【０００３】
しかしながら、こうした従来の受像装置では、電波の受信状態が悪くなって、映像データや音声データが途切れることがあると、情報が欠如して番組内容が分からなってしまう。また、音声データのエラーが多くなった時に、ノイズが増えて耳障りとなったり、放送内容が聞き取れなくなったりする。さらに、映像データのエラーが多くなった時に、ノイズが増えて見づらい画面となったりするというが課題があった。
【０００４】
本発明はこのような問題点に鑑みてなされたものであって、電波の受信状態が悪くなったときに番組内容が分からなくなってしまうことを改善した電波受信装置、文字情報表示方法、及びプログラムを提供することを目的とする。
【０００５】
また、本発明は、電波の受信状態が悪くなったときにノイズが増えて、耳障りな音声や見づらい画面になることを防止した電波受信装置、文字情報表示方法、及びプログラムを提供することを他の目的とする。
【課題を解決するための手段】
【０００６】
上記目的を達成するために、請求項１記載の発明によれば、文字情報を表示できる表示装置を備え、文字情報を含む電波信号を受信する電波受信装置において、受信データのエラー訂正時に訂正できなかったエラーの数を検出するエラー検出手段と、前記エラー検出手段で検出されたエラー数に基づいて、文字情報の表示を行うか否かを判断する判断手段と、前記判断手段による判断結果に応じて文字情報を前記表示装置に表示する表示制御手段とを有することを特徴とする電波受信装置が提供される。
【０００７】
また、請求項７記載の発明によれば、文字情報を表示できる表示装置を備え、文字情報を含む電波信号を受信する電波受信装置に適応される文字情報表示方法において、受信データのエラー訂正時に訂正できなかったエラーの数を検出するエラー検出ステップと、前記エラー検出手ステップで検出されたエラー数に基づいて、文字情報の表示を行うか否かを判断する判断ステップと、前記判断ステップによる判断結果に応じて文字情報を前記表示装置に表示する表示制御ステップとを有することを特徴とする文字情報表示方法が提供される。
【０００８】
さらに、上記文字情報表示方法をコンピュータに実行させるためのプログラムが提供される。
【発明の効果】
【０００９】
本発明によれば、文字情報を表示できる表示装置を備え、文字情報を含む電波信号を受信する電波受信装置において、受信データのエラー訂正時に訂正できなかったエラーの数を検出し、検出されたエラー数に基づいて、文字情報の表示を行うか否かを判断する。この判断結果に応じて文字情報を前記表示装置に表示する。
【００１０】
これにより、電波の受信状態が悪くなったときに番組内容が分からなくなってしまうことを改善できる。すなわち、音声データに訂正できないエラーが多い場合に、該音声データに含まれる情報と類似の情報からなる文字情報を表示装置に映像表示することによって、番組内容が分からなくなってしまうことを改善できる。
【００１１】
また、電波の受信状態が悪くなって音声ノイズが増える場合には、音声出力を停止し、映像ノイズが増える場合には、映像出力を停止し、これによって、耳障りな音声や見づらい画面が出力されることが防止できる。
【発明を実施するための最良の形態】
【００１２】
以下、本発明を実施するための最良の形態について、図面を参照して説明する。
【００１３】
〔第１の実施の形態〕
図１は、本発明の第１の実施の形態に係る電波受信装置における制御部の構成を示すブロック図である。該制御部は、例えば中央演算装置（ＣＰＵ）、ＣＰＵが実行するプログラムを記憶するＲＯＭ（Read Only Memory）、ＣＰＵが演算に使用するＲＡＭ（Random Access Memory）、入出力装置等から構成され、図１に示す各構成部分は、ＣＰＵがプログラムを実行することによって実現される各機能を示すものである。上記電波受信装置は、文字情報を含むデジタルテレビ放送電波を受信するためのものである。
【００１４】
図１において１は、テレビ局や送信局より送信されたデジタル放送電波から映像データを取りだすための映像情報検出部であり、２は、映像情報検出部１と同様に、送信電波から文字情報を取り出すための文字情報検出部であり、３も、映像情報検出部１と同様に、送信電波から音声データを取り出すための音声情報検出部である。
【００１５】
映像情報検出部１は、取り出された映像データを映像情報エラー訂正検出部４に出力する。映像情報エラー訂正検出部４は、映像情報検出部１から取り出された映像データ中のエラーを訂正して、映像信号処理部７へ出力するとともに、訂正できなかったエラーの数を所定の一定周期で集計し、エラー情報処理部１０へ出力する。
【００１６】
文字情報エラー訂正検出部５は、文字情報検出部２から取り出された文字情報中のエラーを訂正するとともに、訂正できなかったエラーの数を所定の一定周期で集計し、訂正された文字情報と訂正できなかったエラー数とをエラー情報処理部１０へ出力する。
【００１７】
音声情報エラー訂正検出部６は、音声情報検出部３から取り出された音声データ中のエラーを訂正するとともに、訂正できなかったエラーの数を所定の一定周期で集計し、エラー数をエラー情報処理部１０へ出力する。
【００１８】
エラー情報処理部１０は、図３を参照して後述する文字情報表示制御処理を行い、その処理結果に応じて文字情報処理部９へ文字情報を出力する。
【００１９】
映像信号処理部７は、映像情報エラー訂正検出部４から送られた訂正済みの映像データを基に、表示部１１で表示できる形態の映像信号に変換する。
【００２０】
文字情報処理部９は、エラー情報処理部１０から出力された、コード化されている文字情報を受け取り、表示部１１で表示できる形態の映像信号に変換する。
【００２１】
文字情報加算部８は、映像信号処理部７から送られた映像信号に、文字情報処理部９から送られた映像信号を加算（重畳）して、文字情報の重畳された画像信号を生成する。
【００２２】
表示部１１は、ＣＲＴモニタや液晶式画像表示器などから構成され、文字情報加算部８で生成された映像信号を基に映像表示を行なう。
【００２３】
図２は、図１に示す制御部が搭載された電波受信装置の構成を示すブロック図である。図１に示す制御部は、図２において破線で示す枠内に位置する。
【００２４】
電波受信装置では、アンテナ４０で受信したデジタルテレビ放送電波から、検波部４１が、所定の帯域の信号だけを分離し、データ検出部４２が、該分離された信号を元の複合デジタルデータに変換する。メモリ制御部４３は、複合デジタルデータをメモリ部４４に書き込んだり、メモリ部４４から読み出して制御部へ送ったりする。メモリ制御部４３は、この書き込み及び読み出しを時分割で制御する。制御部へ送られる複合デジタルデータには、映像データ、文字情報、及び音声データが含まれ、ここでの文字情報は、音声データに含まれる情報と類似の情報であることが望ましい。
【００２５】
図３は、エラー情報処理部１０で実行される文字情報表示制御処理の手順を示すフローチャートである。
【００２６】
エラー情報処理部１０は、ステップＳ５０において、音声情報エラー訂正検出部６から出力された所定周期内の音声データの訂正できなかったエラー数を所定の第１の閾値と比較し、該エラー数が第１の閾値に達していたならばステップＳ５１へ進み、達していないならばステップＳ５３へ進む。なお、映像情報エラー訂正検出部４から出力された所定周期内の映像データの訂正できなかったエラー数を所定の第２の閾値と比較し、該エラー数が第２の閾値に達しており、及び／または上記音声データの訂正できなかったエラー数が第１の閾値に達していたならば、ステップＳ５１へ進むようにしてもよい。
【００２７】
ステップＳ５１では、文字情報エラー訂正検出部５から出力された所定周期内の文字情報の訂正できなかったエラー数を所定の第２の閾値と比較し、該エラー数が所定の第２の閾値に達していたならばステップＳ５２へ進み、達していないならばステップＳ５４へ進む。
【００２８】
ステップＳ５２では、音声データにも文字情報にも訂正できないエラーが多く、文字情報を表示したくとも適切ではないので、エラー情報処理部１０は文字情報処理部９に対して文字情報を送らず、表示部１１に文字情報を表示させないようにする。
【００２９】
ステップＳ５３では、音声データにエラーが少なく、音声データを出力することに問題がないので、文字情報処理部９に対して文字情報を送らず、表示部１１に文字情報を表示させないようにする。
【００３０】
ステップＳ５４では、音声データにエラーが多く、かつ文字情報にエラーが少ないので、文字情報を表示すべく、エラー情報処理部１０は文字情報処理部９に対して、音声情報エラー訂正検出部６からエラー訂正して送られた、コード化されている文字情報を送り、文字情報処理部９は、表示部１１で表示できる形態の映像信号に変換する。
【００３１】
ステップＳ５５では、文字情報処理部９が、文字情報を表示部１１で最適な位置に表示するように制御し、得られた映像信号を文字情報加算部８へ出力する。
【００３２】
ステップＳ５６では、文字情報加算部８が、映像信号処理部７から送られた映像信号に、文字情報処理部９から出力された映像信号を加算して表示部１１に出力し、表示部１１に、文字情報が重畳された映像の表示を行なわせる。
【００３３】
以上のように、第１の実施の形態では、音声データに訂正できないエラーが多い場合に、該音声データに含まれる情報と類似の情報からなる文字情報を表示部１１に映像表示するようにする。
【００３４】
〔第２の実施の形態〕
次に、本発明の第２の実施の形態を説明する。
【００３５】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００３６】
図４は、第２の実施の形態における制御部の構成を示すブロック図である。
【００３７】
第２の実施の形態では、エラー情報処理部１０に状態決定部１６が接続され、状態決定部１６には選択部１５が接続される。選択部１５は、ユーザによって操作されるキー入力装置で構成され、状態決定部１６は、選択部１５からの入力情報に基づき、ユーザの指示が、文字情報表示を行なうか否かを放送電波の受信状態に応じて決定する自動モード、文字情報表示を常時行う表示モード、及び文字情報表示を常時行わない非表示モードのうちのいずれであるかを判別し、エラー情報処理部１０に伝える。
【００３８】
また、第２の実施の形態における音声情報エラー訂正検出部６は、エラー訂正された音声データを音声信号処理部１３に出力する。音声信号処理部１３は、このデジタルの音声データをアナログ音声信号に変換し、音声出力部１４へ出力する。音声出力部１４にはエラー情報処理部１０からミュート信号が送られるようになっており、音声出力部１４は、ミュート信号を受信していないときには、音声信号処理部１３からのアナログ音声信号に基づく音声出力をスピーカに対して行い、ミュート信号を受信したときには、該音声出力を停止する。
【００３９】
また、第２の実施の形態では、映像信号処理部７と文字情報加算部８との間に画像挿入部１２を新たに設け、画像挿入部１２は、エラー情報処理部１０から映像出力停止信号が送られている場合には、映像信号処理部７から送られた映像信号を文字情報加算部８に送らないようにするとともに、画像を含まないラスタ信号だけを文字情報加算部８に出力する。
【００４０】
エラー情報処理部１０は、状態決定部１６から表示モードを通知されているときは、放送電波の受信状態に拘わらず常時、文字情報処理部９に対して文字情報を出力して、表示部１１に、文字情報が重畳された映像の表示を行なわせる。一方、状態決定部１６から非表示モードを通知されているときは、放送電波の受信状態に拘わらず常時、文字情報処理部９に対して文字情報を出力せず、表示部１１に、文字情報が重畳されていない映像の表示を行なわせる。
【００４１】
さらにエラー情報処理部１０は、状態決定部１６から自動モードを通知されている場合には、図３に示す第１の実施の形態における文字情報表示制御処理と同じ処理を行い、ステップＳ５２では、音声データにも文字情報にも訂正できないエラーが多く、文字情報を表示したくとも適切ではないので、エラー情報処理部１０は文字情報処理部９に対して文字情報を送らず、表示部１１に文字情報を表示させないようにするとともに、音声出力部１４に対してミュート信号を出力して、スピーカから聞き取りづらい音声を出さないようにする。
【００４２】
ステップＳ５３では、音声データにエラーが少なく、文字情報を表示する必要が無いので、エラー情報処理部１０は文字情報処理部９に対して文字情報を送らず、表示部１１に文字情報を表示させないようにするとともに、音声出力部１４に対してミュート信号の出力を行なわないようにして、スピーカから音声を出させるようにする。
【００４３】
ステップＳ５４〜Ｓ５６では、音声データに訂正できないエラーが多いが、文字情報にはエラーが少ないので、エラー情報処理部１０は文字情報処理部９に対して文字情報を送り、表示部１１に文字情報を表示させるようにするとともに、音声出力部１４に対してミュート信号を出力して、スピーカから聞き取りづらい音声を出さないようにする。
【００４４】
さらにエラー情報処理部１０は、映像情報エラー訂正検出部４から出力された所定周期内の映像データの訂正できなかったエラー数を所定の第２の閾値と比較し、該エラー数が第２の閾値に達していない場合には、画像挿入部１２に対して映像出力停止信号を出力せず、一方、エラー数が第２の閾値に達していた場合には、画像挿入部１２に対して映像出力停止信号を出力して、映像信号処理部７から送られた映像信号を文字情報加算部８に送らないようにさせ、これによって、ノイズの多い画像が表示部１１で表示されることを防止できる。
【００４５】
以上のように、第２の実施の形態では、音声データに訂正できないエラーが多い場合に、該音声データに含まれる情報と類似の情報からなる文字情報を表示部１１に映像表示するとともに、該音声データに代わる文字情報を基づく音声出力を停止し、これによって、スピーカから聞き取りづらい音声が出力されることを防止できるとともに、ユーザは音声データに代わる文字情報を獲得することができる。また、映像データに訂正できないエラーが多い場合、該映像データに基づく映像表示を停止して、これによって、ノイズの多い画像が表示部１１で表示されることを防止できる。
【００４６】
なお、上記第２の実施の形態において、状態決定部１６は、選択部１５からの入力情報に基づき、ユーザの指示が、文字情報表示を行なうか否かを放送電波の受信状態に応じて決定する自動モード、文字情報表示を常時行う表示モード、及び文字情報表示を常時行わない非表示モードのうちのいずれであるかを判別し、エラー情報処理部１０に伝えるという構成になっているが、これに代わって、状態決定部が、選択部からの入力情報に基づき、ユーザの指示が、映像データを優先する映像モード、文字情報を優先する文字モード、音声データを優先する音声モードのうちのいずれであるかを判別し、エラー情報処理部に伝えるようにしてもよい。エラー情報処理部では、状態決定部から音声モードを通知されている場合には、上記第２の実施の形態において自動モードが通知されている場合のエラー情報処理部で行われる処理と同一の処理を行なうようにする。
【００４７】
〔他の実施の形態〕
なお、上記第１及び第２の実施の形態におけるデジタルテレビ放送の電波受信装置は、車載型、携帯型などの移動性の電波受信装置であってもよい。すなわち、本発明は、テレビ放送電波の受信状態が悪化したときに有用な発明であり、移動性の電波受信装置では、こうした状態が発生しやすいため、本発明は移動性の電波受信装置に適用されることが望ましい。
【００４８】
また、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００４９】
この場合、記憶媒体から読み出されたプログラムコード自体が本発明の新規な機能を実現することになり、そのプログラムコードを記憶した記憶媒体およびプログラムは本発明を構成することになる。
【００５０】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００５１】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００５３】
【図１】本発明の第１の実施の形態に係るデジタルテレビ放送の電波受信装置における制御部の構成を示すブロック図である。
【図２】図１に示す制御部が搭載された電波受信装置の構成を示すブロック図である。
【図３】エラー情報処理部で実行される文字情報表示制御処理の手順を示すフローチャートである。
【図４】第２の実施の形態における制御部の構成を示すブロック図である。
【符号の説明】
【００５４】
１  映像情報検出部
２  文字情報検出部
３  音声情報検出部
４  映像情報エラー訂正検出部
５  文字情報エラー訂正検出部（エラー検出手段）
６  音声情報エラー訂正検出部（エラー検出手段）
７  映像信号処理部
８  文字情報加算部
９  文字情報処理部（表示制御手段）
１０  エラー情報処理部（判断手段、停止手段、映像表示停止手段）
１１  表示部（表示装置）
１２  画像挿入部（映像表示停止手段）
１３  音声信号処理部
１４  音声出力部（音声出力手段）
１５  選択部
１６  状態決定部（作動制御手段）
【図１】
2005260552.tif 000003
【図２】
2005260552.tif 000004
【図３】
2005260552.tif 000005
【図４】
2005260552.tif 000006